【事件の表示】
　特願２００８−１１５５２８「決済システムおよび決済装置」拒絶査定不服審判事件〔平成２１年１１月１２日出願公開、特開２００９−２６５９９１〕について、次のとおり審決する。
【結　論】
　本件審判の請求は、成り立たない。
【理　由】
第１　手続の経緯
　
　本願は，平成２０年４月２５日の出願であって，平成２３年３月３日に手続補正がなされ，平成２４年６月７日付けで拒絶理由通知がなされ，同年７月３１日に手続補正がなされたが，同年１１月９日付けで拒絶査定がなされ，同年１２月２１日に拒絶査定不服審判が請求されたものである。
　
第２　本願発明
　
　本願の請求項１に係る発明（以下，「本願発明」という。）は，平成２４年７月３１日の手続補正により補正された特許請求の範囲の請求項１に記載された次のとおりのものである。
　
「複数の装置を対象として電子決済する決済システムにおいて、
　前記装置のそれぞれに対応した複数の電子マネー端末装置と、前記電子マネー端末装置と通信ネットワークを介して接続された決済装置とを具備し、
　前記電子マネー端末装置は、決済用ＩＣカードに記憶されている決済情報の書き換えを行うカード処理手段と、前記決済装置と通信を行い該決済装置の指示に基づいて前記カード処理手段との間で決済情報を送受信させるとともに前記決済装置から決済成立通知を受けた場合に前記装置に利用許可を与える決済制御手段とを具備し、
　前記決済装置は、前記電子マネー端末装置を介して前記決済用ＩＣカードから読み取った決済情報に基づいて決済処理を行うとともに該決済処理が成立した場合に前記電子マネー端末装置を介して前記決済用ＩＣカードに新たな決済情報を書き込ませる決済処理手段を２つと、前記決済処理手段により決済処理が成立した場合に前記電子マネー端末装置に前記決済成立通知を送信する決済成立通知手段と、前記決済処理手段による決済処理に関する処理情報を前記通信ネットワーク以外の通信手段を含む通信経路で前記決済処理手段による決済処理と非同期で上位決済装置に通知する処理情報通知手段と、前記電子マネー端末装置からの決済要求を受けた際に前記処理情報通知手段が前記決済処理手段の一方の処理情報を前記上位決済装置に通知している場合は、前記決済処理手段の他方に決済処理を行わせる要求振分手段とを具備する
　ことを特徴とする決済システム。」
　
第３　引用文献
　
　原査定の拒絶の理由において引用された特開２００５−１０７７３４号公報には，次の事項が記載されている。
　
ア．「【００２３】
　図１に示すように、この遊技場における電子マネー処理システムは、遊技店Ａと、プリペイドカード管理センタＢと、電子マネー管理センタＣとから成る。
【００２４】
　遊技店Ａには、台間処理機１と遊技機２からなる遊技ユニット３を複数個配置した遊技島４が設けられると共に、その遊技島４における各種遊技データ［例えば、プリペイドカードデータや、会員カードデータや、遊技機における遊技情報（出玉情報や大当たり情報など）］を上位管理装置側に中継伝送すると共に、その上位管理装置からの各種信号を遊技島４の遊技ユニット３に中継伝送する島コントローラ５と、その島コントローラ５からの各種遊技データを取得して各種遊技データの管理を行う上位管理装置となるターミナルコントローラ（Ｔ／Ｃ）６と、商品注文処理端末７とを備えて構成される。
【００２５】
　尚、各遊技島４（１）〜４（ｍ）（ｍ：任意の整数）の各遊技ユニット３は、自島の島コントローラ５とＬＡＮ８等の伝送路で接続され、また、各島コントローラ５（１）〜５（ｍ）（ｍ：任意の整数）は、ターミナルコントローラ（Ｔ／Ｃ）６とＬＡＮ９等の伝送路で接続される。」
　
イ．「【００２９】
　電子マネー管理センタＣは、センターコンピュータＣ−１等を用いて遊技店Ａのターミナルコントローラ（Ｔ／Ｃ）６と通信を行うことで、加盟店となる遊技店Ａからの電子マネーカードＸによる取引情報（遊技媒体Ｚの貸出しや商品の販売提供に伴い利用された電子マネーの金額情報を含む）を受信する。そして、その受信した取引情報に基づき加盟店となる遊技店Ａに対して、利用額に応じた手数料の徴収処理を行う。
【００３０】
　即ち、本実施例では、従来、電子マネーカードから情報を読取るアンテナユニットが具わる台間処理機１台毎に必ず一つ必要であった電子マネー決済処理部［Ｅｄｙ（登録商標）モジュール］を、各台間処理機１台毎に一つづつ設ける構成を採らず、複数台の台間処理機１（１）〜１（ｎ）各々毎に具わる共用アンテナユニット１１複数個に対応して、各遊技島４（１）〜４（ｍ）毎にそれぞれ設置される島コントローラ５毎に、該当する島コントローラ５に具わる複数の共用アンテナユニット１１で読取られた個々の情報に基づき、それぞれ該当する台間処理機で行われる遊技媒体Ｚの貸出しに伴う決済処理或いは該当する台間処理機の後述の受付手段（電子マネー価値を用いて商品を購入する商品購入要求を受け付けるタッチパネル等）で受付けた商品購入要求に対応した商品の販売提供に伴う決済処理を並行して実行管理する電子マネー処理部５１を１つ設ける構成を採る。
【００３１】
　これにより、電子マネー決済システムを利用した遊技システムを低コストで提供することができると共に、遊技場に設置される従来機器のサイズを変更しなくとも電子マネー決済システムを適用することができる。
【００３２】
　 図２は、上記図１に示した各台間処理機１（１）〜１（ｎ）の詳細な構成を示す図である。尚、この台間処理機１は、遊技機と遊技機との台間に配置され、各遊技機毎に１対１の関係で取り付けられ、対応する遊技機で使用する遊技媒体（パチンコ玉）Ｚの貸出し処理を行う。
【００３３】
　 図２に示すように、この台間処理機１は、制御部１０と、共用アンテナユニット１１と、表示・操作処理部１２と、プリペイドカード処理部１３と、遊技媒体貸出処理部１４と、作業メモリ部１５と、通信処理部１６とを具えて構成される。
【００３４】
　ここで、制御部１０は、この台間処理機の他の構成要素の処理動作を制御して機器全体を統括的に制御する。基本的には、カード挿入口１１ａに挿入されたプリペイドカードＹの残高内で遊技機２で使用する遊技媒体（パチンコ玉）の貸出し処理を制御すると共に、カード挿入口１１ａに挿入された電子マネーカードＸの残高内で遊技機２で使用する遊技媒体（パチンコ玉）の貸出し処理を制御する。特に、本実施例では、例えば、共用アンテナユニット１１で読取った暗号解読前のカード情報をプリペイドカード処理部１３に受け渡す処理を制御すると共に、そのプリペイドカード処理部１３で暗号解読されなかった場合に該プリペイドカード処理部１３から解読できない旨のレスポンスがあった場合に、その暗号化カード情報に電子マネーデータを示すカード種別識別情報を付加すると共に、予め割り振られている台識別情報（台番号情報）を付加して通信処理部１６を用いて島コントローラ５に転送する処理動作を制御する。
【００３５】
　共用アンテナユニット１１は、制御部１０の制御のもと、電子マネーカードＸ及びプリペイドカードＹのデータ読取り及び書込みを行う。具体的には、例えば、使用者が入金した金額情報が都度書込まれ、固有のＩＤがオフィシャルエリア（ＩＣ記録部）に書込まれている電子マネーカードＸからデータ（金額情報やＩＤ）を読取ったり、後述の島コントローラ５の電子マネー処理部５１の指示のもと、その電子マネーカードＸのデータ（金額情報）の更新書込みを行う。」
　
ウ．「【００３９】
　遊技媒体貸出処理部１４は、電子マネーカードＸやプリペイドカードＹの金額情報（有価価値）に基づき遊技機２で使用する遊技媒体Ｚを貸出す処理を行う。具体的には、この台間処理機機１では、対応して設置される遊技機からの玉貸出要求（遊技媒体貸出ボタン２０２の押下）に応じてカードの残高情報内でその遊技機の玉投出機構に対し遊技媒体Ｚ（パチンコ玉）の投出指示を出す。」
　
エ．「【００４３】
　図３に示すように、この島コントローラ５は、制御部５０と、電子マネー処理部５１と、作業メモリ部５２と、通信処理部５３とを具えて構成される。
・・・（中略）・・・
【００４７】
　通信処理部５３は、第１通信インタフェース部５３−１が、ＬＡＮ８を介して、自島の各遊技ユニット３からの各種情報信号を受信する通信処理を行ったり、ＬＡＮ８を介して、電子マネー処理部５１が上記金額情報（残高情報）の表示処理や決済処理で用いる各種情報信号を該当する遊技ユニット３との間で通信処理する。本実施例では、例えば、解読後のプリペイドカードデータや解読前の電子マネーカードデータを取得したり、暗号解読後の電子マネーカードデータに基づき残高情報を該当する遊技ユニット３に送信したり、該当する台間処理機の共用アンテナユニットに遊技媒体の貸出しに伴う金額情報の更新書込み指示を送信する。
【００４８】
　また、第２通信インタフェース部５３−２が、ＬＡＮ９を介して、この島コントローラ５の上位装置となるターミナルコントローラ（Ｔ／Ｃ）６との間で通信処理する。本実施例では、例えば、プリペイドカードＹによる遊技媒体の貸出しに伴う売上情報や電子マネーカードＸによる遊技媒体Ｚの貸出しに伴う売上情報をターミナルコントローラ（Ｔ／Ｃ）６に送信したり、電子マネーカードＸによる商品購入に係わる商品発注情報を商品注文処理端末７に送信する。なお、第１通信インタフェース部５３−１および第２通信インタフェース部５３−２は、説明の便宜上記載したもので、実際は上記通信が１つの通信処理５３により実行される（以下、同様）。」
　
オ．「【００５８】
　次に、１つの遊技島４における電子マネー処理の流れについて図５を用いて説明する。尚、この図５の例では、遊技島４（１）における処理の流れを示している。
【００５９】
　また、以下の説明では、台間処理機１（１）において遊技客Ａにより残高「５０００円」の電子マネーカードを用いた「５００円」分の遊技媒体（パチンコ玉）の貸出要求と、台間処理機１（ｎ）において遊技客Ｎにより残高「１０００円」の電子マネーカードを用いた「１５０円のアイスコーヒー」の購入を希望する商品発注要求とが略同タイミングで発生し、島コントローラ５（１）の電子マネー処理部５１で並行して決済処理を行う場合を例にして述べる。
【００６０】
　まず、台間処理機１（１）において遊技客Ａが自己の所有する電子マネーカード（残高「５０００円」）をカード挿入口１１ａに挿入すると(ステップＳ１）、台間処理機１（１）では、共用アンテナユニット１１がカード挿入口１１ａに挿入されたカードの暗号化カードデータを読み取る(ステップＳ２）。
【００６１】
　そして、台間処理機１（１）では、その読取った暗号化カードデータを制御部１０が取得し、プリペイドカード処理部１３に受け渡す。すると、プリペイドカード処理部１３が所定のプリペイドカード用の暗号解読キーを用いて暗号解読処理を行う（ステップＳ３）。
【００６２】
　ところが、この場合、電子マネーカードのデータであるため、暗号解読が行えない（ステップＳ４ＮＯ）、そこで、プリペイドカード処理部１３は、暗号解読できなかった暗号化カードデータ［金額情報「５０００円」とＩＤを含む］と共に暗号解読できない旨のレスポンスを制御部１０に返す。すると、制御部１０は、その暗号化カードデータに、電子マネーカードデータを示すカード種別識別情報を付加すると共に、予め固有に割り振られている台識別情報（例えば、１番）を付加して（ステップＳ５）、それらデータを通信処理部１６を用いて島コントローラ５（１）に送出制御する（ステップＳ６）。
【００６３】
　これに対し、島コントローラ５（１）は、通信処理部５３を介してデータを受信すると、制御部５０が上記カード種別識別情報以外のデータを電子マネー処理部５１に受け渡す。そして、電子マネー処理部５１が暗号化カードデータ［金額情報「５０００円」とＩＤを含む］部分に対し、所定の電子マネーカード用の暗号解読キーを用いて暗号解読処理を行う（ステップＳ１０１）。その後、島コントローラ５（１）は、電子マネー処理部５１の解読処理により認識される金額情報（残高情報ともいう）「５０００円」を制御部５０の制御のもと、該当する台間処理機１（１）に通信処理部５３を用いて送信する(ステップＳ１０２）。
【００６４】
　すると、台間処理機１（１）では、通信処理部１６を介して上記金額情報「５０００円」を受信すると（ステップＳ７）、タッチパネル１２ａに残高及びメニュー選択画面の表示を行うと共に、自機に対応して設置される遊技機２（１）の残高情報表示部２０１に金額情報（残高情報）「５０００円」を表示させる(ステップＳ８）。
【００６５】
　その後、遊技客Ａのメニュー選択操作を受付ける（ステップＳ９）。
【００６６】
　尚、ここでの例では、遊技客Ａは残高「５０００円」内で「５００円」分の遊技媒体（パチンコ玉）の貸出要求を選択する（ステップＳ１０）。
【００６７】
　すると、台間処理機１（１）では、島コントローラ５（１）に対し、「５００円」分の遊技媒体（パチンコ玉）の貸出要求を通知する（ステップＳ１１）。
【００６８】
　これに対し、島コントローラ５（１）では、電子マネー処理部５１が減算処理を行う（ステップＳ１０３）。即ち、この場合、残高「５０００円」から遊技媒体貸出のため「５００円」を差し引き、減算後の残高として「４５００円」を求める。その後、電子マネー処理部５１が減算後の残高「４５００円」の金額情報を所定の電子マネーカード用の暗号化情報に基づき暗号化データとして生成し、その暗号化データを制御部５０に渡す。そして、制御部５０がその暗号化データに減算指示を付加して台間処理機１（１）に転送処理制御する（ステップＳ１０４）。
【００６９】
　すると、台間処理機１（１）では、減算指示が付加された暗号化データ（金額情報「４５００円」）を受信すると（ステップＳ１４ＹＥＳ）、制御部１０が共用アンテナユニット１１に暗号化データ（金額情報「４５００円」）を渡し、共用アンテナユニット１１が挿入されている電子マネーカードの残高減算書き込み処理を行い、また、制御部１０がステップＳ１０で選択された金額分「５００円」を現在表示している残高額「５０００円」から減算する残高更新表示処理を行う（ステップＳ１５）。
【００７０】
　その後、台間処理機１（１）では、ここでの処理が遊技媒体貸出時であるので（ステップＳ１６ＹＥＳ）、選択指定された金額「５００円」分の遊技媒体を貸出処理し（ステップＳ１７）、その貸出処理完了後に減算完了通知を島コントローラ５（１）に転送する（ステップＳ１８）。これにより、島コントローラ５（１）では、制御部５０の制御のもと、上位装置となるターミナルコントローラ６に対し、電子マネーカードの売上情報（この例では、「５００円」）を予め電子マネー処理部５１に固有に割り振られているモジュール番号と共に転送処理する（ステップＳ１０５）。尚、商品購入時であれば、ステップＳ１０５の処理において、上記ターミナルコントローラ６への売上情報の通知処理以外に、商品注文処理端末７に遊技客Ａにより選択された商品情報の転送処理を行う。」
　
カ．「【００７３】
　尚、ここでの処理の例においては、島コントローラ５（１）は、上述の台間処理機１（１）との間における電子マネー処理以外にも、台間処理機１（ｎ）との間における電子マネー処理も並行して処理する。」
　
キ．「【００８８】
　尚、上記処理において、ターミナルコントローラ（Ｔ／Ｃ）６は、例えば、遊技店Ａの１日の営業が終了した場合に、１日当たりの電子マネーによる売上情報を各電子マネー処理部のモジュール番号と共に電子マネー管理センタＣに通信網９を介して取引情報として通知する。」
　
　前記ア．〜キ．によれば，引用文献には次の事項が記載されているといえる。
　
・前記ア．の「【００２３】
　図１に示すように、この遊技場における電子マネー処理システムは、遊技店Ａと、プリペイドカード管理センタＢと、電子マネー管理センタＣとから成る。
【００２４】
　遊技店Ａには、台間処理機１と遊技機２からなる遊技ユニット３を複数個配置した遊技島４が設けられる」の記載，
　前記イ．の「【００３４】・・・（中略）・・・それぞれ該当する台間処理機で行われる遊技媒体Ｚの貸出しに伴う決済処理或いは該当する台間処理機の後述の受付手段（電子マネー価値を用いて商品を購入する商品購入要求を受け付けるタッチパネル等）で受付けた商品購入要求に対応した商品の販売提供に伴う決済処理を並行して実行管理する電子マネー処理部５１を１つ設ける構成を採る。」の記載，
　前記ウ．の「この台間処理機機１では、対応して設置される遊技機からの玉貸出要求（遊技媒体貸出ボタン２０２の押下）に応じてカードの残高情報内でその遊技機の玉投出機構に対し遊技媒体Ｚ（パチンコ玉）の投出指示を出す。」の記載によれば，
　引用文献には，「遊技機により投出される遊技媒体の貸出に伴う決済処理を行う電子マネー処理システム」が記載されているといえる。
　
・前記ア．の「【００２４】
　遊技店Ａには、・・・（中略）・・・ターミナルコントローラ（Ｔ／Ｃ）６と、商品注文処理端末７とを備えて構成される。」の記載，
　前記キ．の「ターミナルコントローラ（Ｔ／Ｃ）６は、例えば、遊技店Ａの１日の営業が終了した場合に、１日当たりの電子マネーによる売上情報を各電子マネー処理部のモジュール番号と共に電子マネー管理センタＣに通信網９を介して取引情報として通知する。」の記載によれば，
　引用文献には，「遊技店Ａと電子マネー管理センタＣとが，通信網９を介して接続され」が記載されているといえる（引用文献には，「通信網９」のほかに「通信網１０」の記載もあるが，番号を統一して「通信網９」と表記する。）。
　
・前記ア．の「【００２４】
　遊技店Ａには、台間処理機１と遊技機２からなる遊技ユニット３を複数個配置した遊技島４が設けられると共に、その遊技島４における各種遊技データ［例えば、プリペイドカードデータや、会員カードデータや、遊技機における遊技情報（出玉情報や大当たり情報など）］を上位管理装置側に中継伝送すると共に、その上位管理装置からの各種信号を遊技島４の遊技ユニット３に中継伝送する島コントローラ５と、その島コントローラ５からの各種遊技データを取得して各種遊技データの管理を行う上位管理装置となるターミナルコントローラ（Ｔ／Ｃ）６と、商品注文処理端末７とを備えて構成される。
【００２５】
　尚、各遊技島４（１）〜４（ｍ）（ｍ：任意の整数）の各遊技ユニット３は、自島の島コントローラ５とＬＡＮ８等の伝送路で接続され、また、各島コントローラ５（１）〜５（ｍ）（ｍ：任意の整数）は、ターミナルコントローラ（Ｔ／Ｃ）６とＬＡＮ９等の伝送路で接続される。」の記載，
　前記イ．の「【００３２】・・・（中略）・・・尚、この台間処理機１は、遊技機と遊技機との台間に配置され、各遊技機毎に１対１の関係で取り付けられ」の記載によれば，
　引用文献には，「遊技店Ａは、複数の遊技機２と，各遊技機毎に１対１の関係で取り付けられた台間処理機１と，島コントローラ５と，ターミナルコントローラ６とを有し，
　台間処理機１と遊技機２からなる遊技ユニット３を複数個配置した遊技島４が設けられ，各遊技島４の各遊技ユニット３は、自島の島コントローラ５とＬＡＮ８で接続され，各島コントローラ５は、ターミナルコントローラ６とＬＡＮ９で接続され」が記載されているといえる。
　
・前記イ．の「【００３３】
　 図２に示すように、この台間処理機１は、制御部１０と、共用アンテナユニット１１と、表示・操作処理部１２と、プリペイドカード処理部１３と、遊技媒体貸出処理部１４と、作業メモリ部１５と、通信処理部１６とを具えて構成される。
【００３４】
　ここで、制御部１０は、この台間処理機の他の構成要素の処理動作を制御して機器全体を統括的に制御する。」の記載によれば，
　引用文献には，「台間処理機１は，台間処理機の他の構成要素の処理動作を制御する制御部１０と，共用アンテナユニット１１と，遊技媒体貸出処理部１４と、通信処理部１６とを備え」が記載されているといえる。
　
・前記エ．の「【００４３】
　図３に示すように、この島コントローラ５は、制御部５０と、電子マネー処理部５１と、作業メモリ部５２と、通信処理部５３とを具えて構成される。」の記載によれば，
　引用文献には，「島コントローラ５は、制御部５０と，電子マネー処理部５１と，通信処理部５３とを備え」が記載されているといえる。
　
・前記イ．の「【００３０】　・・・（中略）・・・該当する島コントローラ５に具わる複数の共用アンテナユニット１１で読取られた個々の情報に基づき、それぞれ該当する台間処理機で行われる遊技媒体Ｚの貸出しに伴う決済処理或いは該当する台間処理機の後述の受付手段（電子マネー価値を用いて商品を購入する商品購入要求を受け付けるタッチパネル等）で受付けた商品購入要求に対応した商品の販売提供に伴う決済処理を並行して実行管理する電子マネー処理部５１を１つ設ける構成を採る。」の記載によれば，
　引用文献には，「前記電子マネー処理部５１は，島コントローラ５に１つ設けられ，遊技媒体Ｚの貸出しに伴う決済処理を並行して実行管理し」が記載されているといえる。
　
・前記オ．の「【００６０】
　まず、台間処理機１（１）において遊技客Ａが自己の所有する電子マネーカード（残高「５０００円」）をカード挿入口１１ａに挿入すると(ステップＳ１）、台間処理機１（１）では、共用アンテナユニット１１がカード挿入口１１ａに挿入されたカードの暗号化カードデータを読み取る(ステップＳ２）。」の記載，
　前記イ．の「【００３５】
  共用アンテナユニット１１は、制御部１０の制御のもと、電子マネーカードＸ及びプリペイドカードＹのデータ読取り及び書込みを行う。具体的には、例えば、使用者が入金した金額情報が都度書込まれ、固有のＩＤがオフィシャルエリア（ＩＣ記録部）に書込まれている電子マネーカードＸからデータ（金額情報やＩＤ）を読取ったり、」の記載によれば，
　引用文献には，「台間処理機１において遊技客が電子マネーカードをカード挿入口１１ａに挿入すると（ステップＳ１），共用アンテナユニット１１は電子マネーカードのＩＣ記録部から金額情報を含む暗号化カードデータを読み取り（ステップＳ２）」が記載されているといえる。
　
・前記オ．の「【００６２】
　ところが、この場合、電子マネーカードのデータであるため、暗号解読が行えない（ステップＳ４ＮＯ）、そこで、プリペイドカード処理部１３は、暗号解読できなかった暗号化カードデータ［金額情報「５０００円」とＩＤを含む］と共に暗号解読できない旨のレスポンスを制御部１０に返す。すると、制御部１０は、その暗号化カードデータに、電子マネーカードデータを示すカード種別識別情報を付加すると共に、予め固有に割り振られている台識別情報（例えば、１番）を付加して（ステップＳ５）、それらデータを通信処理部１６を用いて島コントローラ５（１）に送出制御する（ステップＳ６）。」の記載によれば，
　引用文献には，「台間制御機１の制御部１０は，当該暗号化カードデータを受けとり，通信処理部１６を用いて島コントローラ５に送出制御し，」
　
・前記オ．の「【００６３】
　これに対し、島コントローラ５（１）は、通信処理部５３を介してデータを受信すると、制御部５０が上記カード種別識別情報以外のデータを電子マネー処理部５１に受け渡す。そして、電子マネー処理部５１が暗号化カードデータ［金額情報「５０００円」とＩＤを含む］部分に対し、所定の電子マネーカード用の暗号解読キーを用いて暗号解読処理を行う（ステップＳ１０１）。その後、島コントローラ５（１）は、電子マネー処理部５１の解読処理により認識される金額情報（残高情報ともいう）「５０００円」を制御部５０の制御のもと、該当する台間処理機１（１）に通信処理部５３を用いて送信する(ステップＳ１０２）。」の記載によれば，
　引用文献には，「島コントローラは，通信処理部５３を介して暗号化カードデータを受信して，電子マネー処理部５１に受け渡し，暗号化カードデータの金額情報を台間処理機１に送信し（ステップＳ１０１，Ｓ１０２）」が記載されているといえる。
　
・前記オ．の「【００６４】
　すると、台間処理機１（１）では、通信処理部１６を介して上記金額情報「５０００円」を受信すると（ステップＳ７）、タッチパネル１２ａに残高及びメニュー選択画面の表示を行うと共に、自機に対応して設置される遊技機２（１）の残高情報表示部２０１に金額情報（残高情報）「５０００円」を表示させる(ステップＳ８）。」の記載によれば，
　引用文献には，「台間処理機１は、タッチパネル１２ａに前記金額情報とメニュー選択画面を表示し（ステップＳ７，Ｓ８）」が記載されているといえる。
　
・前記オ．の「【００６５】
　その後、遊技客Ａのメニュー選択操作を受付ける（ステップＳ９）。
【００６６】
　尚、ここでの例では、遊技客Ａは残高「５０００円」内で「５００円」分の遊技媒体（パチンコ玉）の貸出要求を選択する（ステップＳ１０）。
【００６７】
　すると、台間処理機１（１）では、島コントローラ５（１）に対し、「５００円」分の遊技媒体（パチンコ玉）の貸出要求を通知する（ステップＳ１１）。」の記載によれば，
　引用文献には，「台間処理機１は，遊技客のメニュー選択操作を受付け，選択された所定金額分の遊技媒体の貸出要求を島コントローラに通知し（ステップＳ１０、Ｓ１１）」が記載されているといえる。
　
・前記オ．の「【００６８】
　これに対し、島コントローラ５（１）では、電子マネー処理部５１が減算処理を行う（ステップＳ１０３）。即ち、この場合、残高「５０００円」から遊技媒体貸出のため「５００円」を差し引き、減算後の残高として「４５００円」を求める。その後、電子マネー処理部５１が減算後の残高「４５００円」の金額情報を所定の電子マネーカード用の暗号化情報に基づき暗号化データとして生成し、その暗号化データを制御部５０に渡す。そして、制御部５０がその暗号化データに減算指示を付加して台間処理機１（１）に転送処理制御する（ステップＳ１０４）。」の記載，
　前記エ．の「【００４７】
　通信処理部５３は、第１通信インタフェース部５３−１が、ＬＡＮ８を介して、自島の各遊技ユニット３からの各種情報信号を受信する通信処理を行ったり、ＬＡＮ８を介して、電子マネー処理部５１が上記金額情報（残高情報）の表示処理や決済処理で用いる各種情報信号を該当する遊技ユニット３との間で通信処理する。本実施例では、・・・（中略）・・・該当する台間処理機の共用アンテナユニットに遊技媒体の貸出しに伴う金額情報の更新書込み指示を送信する。」の記載によれば，
　引用文献には，「島コントローラ５の電子マネー処理部５１は，金額情報から所定金額を差し引く減算処理を行い（ステップＳ１０３），減算後の残高の金額情報を暗号化して，暗号化データを制御部５０に渡し，
　島コントローラ５の制御部５０が，その暗号化データに減算指示を付加して台間処理機１に転送処理制御し（ステップＳ１０４）、通信処理部５３が、暗号化データを台間処理機１に送信して，金額情報の更新書込みを指示し，」が記載されているといえる。
　
・前記イ．の「【００３５】
　共用アンテナユニット１１は、制御部１０の制御のもと、電子マネーカードＸ及びプリペイドカードＹのデータ読取り及び書込みを行う。具体的には、・・・（中略）・・・後述の島コントローラ５の電子マネー処理部５１の指示のもと、その電子マネーカードＸのデータ（金額情報）の更新書込みを行う。」の記載，
　前記オ．の「【００６９】
　すると、台間処理機１（１）では、減算指示が付加された暗号化データ（金額情報「４５００円」）を受信すると（ステップＳ１４ＹＥＳ）、制御部１０が共用アンテナユニット１１に暗号化データ（金額情報「４５００円」）を渡し、共用アンテナユニット１１が挿入されている電子マネーカードの残高減算書き込み処理を行い」の記載によれば，
　引用文献には，「台間処理機１は、減算指示が付加された暗号化データを受信すると（ステップＳ１４ＹＥＳ）、制御部１０が共用アンテナユニット１１に暗号化データを渡し、共用アンテナユニット１１が電子マネーカードに暗号化データの更新書込みを行い（ステップＳ１５）」が記載されているといえる。
　
・前記オ．の「【００７０】
　その後、台間処理機１（１）では、ここでの処理が遊技媒体貸出時であるので（ステップＳ１６ＹＥＳ）、選択指定された金額「５００円」分の遊技媒体を貸出処理し（ステップＳ１７）、その貸出処理完了後に減算完了通知を島コントローラ５（１）に転送する（ステップＳ１８）。」の記載，
　前記ウ．の「【００３９】
　遊技媒体貸出処理部１４は、電子マネーカードＸやプリペイドカードＹの金額情報（有価価値）に基づき遊技機２で使用する遊技媒体Ｚを貸出す処理を行う。具体的には、この台間処理機機１では、対応して設置される遊技機からの玉貸出要求（遊技媒体貸出ボタン２０２の押下）に応じてカードの残高情報内でその遊技機の玉投出機構に対し遊技媒体Ｚ（パチンコ玉）の投出指示を出す。」の記載によれば，
　引用文献には，「台間処理機１は，遊技媒体貸出処理部１４によって遊技機の玉投出機構に対し遊技媒体の投出指示を出し（ステップＳ１７），減算完了通知を島コントローラ５に転送し（ステップＳ１８）」が記載されているといえる。
　
・前記ア．の「【００２４】・・・（中略）・・・その島コントローラ５からの各種遊技データを取得して各種遊技データの管理を行う上位管理装置となるターミナルコントローラ（Ｔ／Ｃ）６」の記載，
　前記オ．の「【００７０】
　その後、台間処理機１（１）では、ここでの処理が遊技媒体貸出時であるので（ステップＳ１６ＹＥＳ）、選択指定された金額「５００円」分の遊技媒体を貸出処理し（ステップＳ１７）、その貸出処理完了後に減算完了通知を島コントローラ５（１）に転送する（ステップＳ１８）。これにより、島コントローラ５（１）では、制御部５０の制御のもと、上位装置となるターミナルコントローラ６に対し、電子マネーカードの売上情報（この例では、「５００円」）を予め電子マネー処理部５１に固有に割り振られているモジュール番号と共に転送処理する（ステップＳ１０５）。」の記載，
　前記エ．の「【００４８】
　また、第２通信インタフェース部５３−２が、ＬＡＮ９を介して、この島コントローラ５の上位装置となるターミナルコントローラ（Ｔ／Ｃ）６との間で通信処理する。本実施例では、例えば、プリペイドカードＹによる遊技媒体の貸出しに伴う売上情報や電子マネーカードＸによる遊技媒体Ｚの貸出しに伴う売上情報をターミナルコントローラ（Ｔ／Ｃ）６に送信したり、電子マネーカードＸによる商品購入に係わる商品発注情報を商品注文処理端末７に送信する。なお、第１通信インタフェース部５３−１および第２通信インタフェース部５３−２は、説明の便宜上記載したもので、実際は上記通信が１つの通信処理５３により実行される（以下、同様）。」の記載によれば，
　引用文献には，「島コントローラ５は，減算完了通知を受信すると，通信処理部５３が，ＬＡＮ９を介して，上位管理装置となるターミナルコントローラ６に電子マネーカードの売上情報を転送処理し（ステップＳ１０５）」が記載されているといえる。
　
・前記キ．の「【００８８】
　尚、上記処理において、ターミナルコントローラ（Ｔ／Ｃ）６は、例えば、遊技店Ａの１日の営業が終了した場合に、１日当たりの電子マネーによる売上情報を各電子マネー処理部のモジュール番号と共に電子マネー管理センタＣに通信網９を介して取引情報として通知する。」の記載によれば，
　引用文献には，「ターミナルコントローラ６は、例えば，遊技店Ａの１日の営業が終了した場合に、１日当たりの電子マネーによる売上情報を電子マネー管理センタＣに通信網９を介して取引情報として通知し」が記載されているといえる。
　
・前記イ．の「【００２９】
　電子マネー管理センタＣは、センターコンピュータＣ−１等を用いて遊技店Ａのターミナルコントローラ（Ｔ／Ｃ）６と通信を行うことで、加盟店となる遊技店Ａからの電子マネーカードＸによる取引情報（遊技媒体Ｚの貸出しや商品の販売提供に伴い利用された電子マネーの金額情報を含む）を受信する。そして、その受信した取引情報に基づき加盟店となる遊技店Ａに対して、利用額に応じた手数料の徴収処理を行う。」の記載によれば，
　引用文献には，「電子マネー管理センタＣは、受信した取引情報に基づき加盟店となる遊技店Ａに対して、利用額に応じた手数料の徴収処理を行う」が記載されているといえる。
　
　したがって，引用文献には，次の発明（以下，「引用発明」という。）が記載されているといえる。
　
＜引用発明＞
　遊技機により投出される遊技媒体（パチンコ玉）の貸出に伴う決済処理を行う電子マネー処理システムにおいて，
　遊技店Ａと電子マネー管理センタＣとが，通信網９を介して接続され，
　遊技店Ａは、複数の遊技機２と，各遊技機毎に１対１の関係で取り付けられた台間処理機１と，島コントローラ５と，ターミナルコントローラ６とを有し，
　台間処理機１と遊技機２からなる遊技ユニット３を複数個配置した遊技島４が設けられ，各遊技島４の各遊技ユニット３は、自島の島コントローラ５とＬＡＮ８で接続され，各島コントローラ５は、ターミナルコントローラ６とＬＡＮ９で接続され，
　台間処理機１は，台間処理機の他の構成要素の処理動作を制御する制御部１０と，共用アンテナユニット１１と，遊技媒体貸出処理部１４と、通信処理部１６とを備え，
　島コントローラ５は、制御部５０と，電子マネー処理部５１と，通信処理部５３とを備え，
　前記電子マネー処理部５１は，島コントローラ５に１つ設けられ，遊技媒体Ｚの貸出しに伴う決済処理を並行して実行管理し，
　台間処理機１において遊技客が電子マネーカードをカード挿入口１１ａに挿入すると（ステップＳ１），共用アンテナユニット１１は電子マネーカードのＩＣ記憶部から金額情報を含む暗号化カードデータを読み取り（ステップＳ２），
　台間制御機１の制御部１０は，当該暗号化カードデータを受けとり，通信処理部１６を用いて島コントローラ５に送出制御し，
　島コントローラは，通信処理部５３を介して暗号化カードデータを受信して，電子マネー処理部５１に受け渡し，暗号化カードデータの金額情報を台間処理機１に送信し（ステップＳ１０１，１０２），
　台間処理機１は、タッチパネル１２ａに前記金額情報とメニュー選択画面を表示し（ステップＳ７，Ｓ８），
　台間処理機１は，遊技客のメニュー選択操作を受付け，選択された所定金額分の遊技媒体の貸出要求を島コントローラに通知し（ステップＳ１０、Ｓ１１），
　島コントローラ５の電子マネー処理部５１は，金額情報から所定金額を差し引く減算処理を行い（ステップＳ１０３），減算後の残高の金額情報を暗号化して，暗号化データを制御部５０に渡し，
　島コントローラ５の制御部５０が，その暗号化データに減算指示を付加して台間処理機１に転送処理制御し（ステップＳ１０４）、通信処理部５３が、暗号化データを台間処理機１に送信して，金額情報の更新書込みを指示し，
　台間処理機１は、減算指示が付加された暗号化データを受信すると（ステップＳ１４ＹＥＳ）、制御部１０が共用アンテナユニット１１に暗号化データを渡し、共用アンテナユニット１１が電子マネーカードに暗号化データの更新書込みを行い（ステップＳ１５），
　台間処理機１は，遊技媒体貸出処理部１４によって遊技機の玉投出機構に対し遊技媒体の投出指示を出し（ステップＳ１７），減算完了通知を島コントローラ５に転送し（ステップＳ１８），
　島コントローラ５は，減算完了通知を受信すると，通信処理部５３が，ＬＡＮ９を介して，上位管理装置となるターミナルコントローラ６に電子マネーカードの売上情報を転送処理し（ステップＳ１０５），
　ターミナルコントローラ６は、例えば，遊技店Ａの１日の営業が終了した場合に、１日当たりの電子マネーによる売上情報を電子マネー管理センタＣに通信網９を介して取引情報として通知し，
　電子マネー管理センタＣは，受信した取引情報に基づき加盟店となる遊技店Ａに対して，利用額に応じた手数料の徴収処理を行う，
　電子マネー処理システム。」
　
第４　対比
　
　次に，本願発明と引用発明とを対比する。
　
・引用発明の「複数の遊技機２」は，本願発明の「複数の装置」に相当する。
　
・引用発明の「電子マネー処理システム」は，複数の遊技機２を対象として，遊技媒体（パチンコ玉）の貸出しに伴う決済処理を行うから，本願発明の「複数の装置を対象として電子決済する決済システム」に相当する。
　
・引用発明の「台間処理機１」は，「各遊技機毎に１対１の関係で取り付け」られ，電子マネーカードを扱い，ＬＡＮ８に接続された端末装置といえるから，本願発明の「前記装置のそれぞれに対応した複数の電子マネー端末装置」に相当する。
　
・引用発明の「島コントローラ５」は，台間処理機１とＬＡＮ８を介して接続され，決済処理を行う装置であるから，本願発明の「前記電子マネー端末装置と通信ネットワークを介して接続された決済装置」に相当する。
　
・引用発明の「電子マネーカード」はＩＣ記録部を有し，本願発明の「決済用ＩＣカード」に相当する。
　
・引用発明の「電子マネーカード」に記憶された「金額情報」は，本願発明の「決済情報」に相当する。
　
・引用発明の「共用アンテナユニット１１」は，電子マネーカードから金額情報を読み出し，決済により減算された金額情報を書き込むから，本願発明の「決済用ＩＣカードに記憶されている決済情報の書き換えを行うカード処理手段」に相当する。
　
・引用発明の「減算指示」は，島コントローラ５による決済処理の後に，台間処理機に送信されるから，本願発明の「決済成立通知」に相当する。
　
・引用発明の「制御部１０」は，台間処理機に備えられ，通信処理部を制御して金額情報（暗号化カードデータ）を島コントローラに転送し，島コントローラから減算指示が付加された暗号化データを受信し，その暗号化データを共用アンテナユニット１１に渡す。
　また，引用発明の「遊技媒体貸出処理部１４」は，島コントローラから減算指示を付加した暗号化データを受信すると，遊技機の玉投出機構に対し遊技媒体Ｚ（パチンコ玉）の投出指示を出す。
　したがって，引用発明の「制御部１０」及び「遊技媒体貸出処理部１４」は，全体として，本願発明の「前記決済装置と通信を行い該決済装置の指示に基づいて前記カード処理手段との間で決済情報を送受信させるとともに前記決済装置から決済成立通知を受けた場合に前記装置に利用許可を与える決済制御手段」に相当する。
　
・引用発明の「電子マネー処理部５１」は，島コントローラ５に設けられ，台間制御機１によって電子マネーカードから読み取られた金額情報（暗号化カードデータ）に基づいて所定金額を差し引く減算処理を行う。この減算処理は，本願発明の「決済処理」に相当する。
　また，「電子マネー処理部５１」は，電子マネーカードに減算処理後の金額情報を書き込ませるといえる。
　したがって，引用発明の「電子マネー処理部５１」は，本願発明の「前記電子マネー端末装置を介して前記決済用ＩＣカードから読み取った決済情報に基づいて決済処理を行うとともに該決済処理が成立した場合に前記電子マネー端末装置を介して前記決済用ＩＣカードに新たな決済情報を書き込ませる決済処理手段」に相当する。
　なお，引用発明の「電子マネー処理部５１」は，島コントローラ５に「１つ」あるのに対し，本願発明の「決済処理手段」は，決済装置に「２つ」ある点で相違する。
　
・引用発明の「通信処理部５３」は，島コントローラ５に設けられ，電子マネー処理部５１により決済処理が行われた場合に，台間処理機１に減算指示が付加された暗号化データを送信する。
　したがって，引用発明の「通信処理部５３」における，減算指示が付加された暗号化データの送信手段は，本願発明の「前記決済処理手段により決済処理が成立した場合に前記電子マネー端末装置に前記決済成立通知を送信する決済成立通知手段」に相当する。
　
・引用発明の「売上情報」は，本願発明の「前記決済処理手段による決済処理に関する処理情報」に相当する。
　
・引用発明の「通信処理部５３」は，島コントローラ５に設けられ，ＬＡＮ９を介して，上位管理装置となるターミナルコントローラ６に電子マネーカードの売上情報を転送処理する。
　したがって，引用発明の「通信処理部５３」における売上情報の送信手段と，本願発明の「前記決済処理手段による決済処理に関する処理情報を前記通信ネットワーク以外の通信手段を含む通信経路で前記決済処理手段による決済処理と非同期で上位決済装置に通知する処理情報通知手段」は，「前記決済処理手段による決済処理に関する処理情報を通信経路で上位装置に通知する処理情報通知手段」の点で共通する。
　
　したがって，本願発明と引用発明は，以下の点で一致する。
　
＜一致点＞
「複数の装置を対象として電子決済する決済システムにおいて、
　前記装置のそれぞれに対応した複数の電子マネー端末装置と、前記電子マネー端末装置と通信ネットワークを介して接続された決済装置とを具備し、
　前記電子マネー端末装置は、決済用ＩＣカードに記憶されている決済情報の書き換えを行うカード処理手段と、前記決済装置と通信を行い該決済装置の指示に基づいて前記カード処理手段との間で決済情報を送受信させるとともに前記決済装置から決済成立通知を受けた場合に前記装置に利用許可を与える決済制御手段とを具備し、
　前記決済装置は、前記電子マネー端末装置を介して前記決済用ＩＣカードから読み取った決済情報に基づいて決済処理を行うとともに該決済処理が成立した場合に前記電子マネー端末装置を介して前記決済用ＩＣカードに新たな決済情報を書き込ませる決済処理手段と、前記決済処理手段により決済処理が成立した場合に前記電子マネー端末装置に前記決済成立通知を送信する決済成立通知手段と、前記決済処理手段による決済処理に関する処理情報を通信経路で上位装置に通知する処理情報通知手段とを具備する
　ことを特徴とする決済システム。」
　
　そして，本願発明と引用発明は，以下の点で相違する。
　
＜相違点１＞
　決済処理手段が，本願発明では「２つ」あるのに対し，引用発明では「１つ」である点。
　
＜相違点２＞
　処理情報通知手段による通信経路が，本願発明では「前記通信ネットワーク以外の通信手段を含む通信経路」であり，電子マネー端末装置と決済装置とを接続する通信ネットワーク（実施例のイントラネット）以外の通信手段（実施例のインターネット）を含む通信経路であるのに対し，引用発明では「ＬＡＮ９」であり，台間処理機１と島コントローラ５とを接続する「ＬＡＮ８」以外の通信手段を含む通信経路ではない点。
　
＜相違点３＞
　上位装置が，本願発明では「上位決済装置」であるのに対し，引用発明では「上位管理装置となるターミナルコントローラ６」であり，決済装置ではない点。
　
＜相違点４＞
　処理情報通知手段による通知が，本願発明では「前記決済処理手段による決済処理と非同期」であるのに対し，引用発明では，島コントローラ５が減算完了通知を受信すると通知するところから，決済処理手段による決済処理と「同期」する点。
　
＜相違点５＞
　本願発明は「前記電子マネー端末装置からの決済要求を受けた際に前記処理情報通知手段が前記決済処理手段の一方の処理情報を前記上位決済装置に通知している場合は、前記決済処理手段の他方に決済処理を行わせる要求振分手段」を具備するのに対し，引用発明はこの要求振分手段を具備しない点。
　
第５　判断
　
＜相違点１＞＜相違点５＞について
　
　引用発明において，台間処理機からの決済要求が発生する時点は遊技客次第であるから，島コントローラが，その決済要求を受けた際に，売上情報の転送処理（ステップＳ１０５）を実行している場合もあることは当然想定される。その場合，島コントローラは，売上情報の転送処理と決済要求に基づく金額情報の減算処理（ステップＳ１０３）の各決済処理を，並行して実行することは明らかである。
　引用発明は，これらの決済処理を１つの電子マネー処理部５１によって実行するが，複数の処理を並行して実行するために，複数の処理手段と，処理要求を複数の処理手段に振り分ける要求振分手段とを用いることは，例えば，分散処理やマルチタスク処理などで周知である。分散処理では，処理要求を複数のハードウエア処理手段に振り分けることにより，並行して処理を行う。また，マルチタスク処理では，１つのコンピュータが複数のタスク処理を並行して実行するが，この機能を手段として見れば，各タスクを実行する複数の処理手段と，複数の処理手段に処理要求を振り分ける要求振分手段があるといえる。
　したがって，引用発明において，決済処理を並行して実行する１つの電子マネー処理部５１に代えて，２つの決済処理を並行して実行する２つの決済処理手段と要求振分手段とを用い，台間処理機から決済要求を受けた際に，一方の決済処理手段が売上情報の転送処理を実行している場合に，決済要求を他方の決済処理手段に振り分け，これらの処理を並行して実行することは，容易に想到し得ることである。
　
＜相違点２＞＜相違点３＞について
　
　島コントローラ５は，売上情報をターミナルコントローラ６に転送するが，ターミナルコントローラ６は，その売上情報をさらに電子マネー管理センタＣに通知するから，結局，売上情報は，電子マネー管理センタＣに通知されるものである。したがって，島コントローラが，売上情報を電子マネー管理センタＣに通知することも格別困難ではない。
　その場合，売上情報の通信経路は，ＬＡＮ８以外の通信網９を含む通信経路，すなわち，「前記通信ネットワーク以外の通信手段を含む通信経路」ということができ，また，電子マネー管理センタＣは，決済処理に係る手数料の徴収処理を行うから，「上位決済装置」ということができる。
　してみると，引用発明において，島コントローラ５の通信処理部５３が，通信網９を含む通信経路で，売上情報を電子マネー管理センタＣに通知するようにして，その通信処理部５３を，「前記通信ネットワーク以外の通信手段を含む通信経路」で，処理情報を「上位決済装置」に通知する処理情報通知手段とすることは，容易に想到し得ることである。
　
＜相違点４＞について
　
　遊技店Ａから電子マネー管理センタＣに通知される売上情報が，例えば，遊技店Ａの１日の営業が終了した場合に通知されることや，遊技店に対する手数料の徴収処理に用いられることを考慮すれば，売上情報の通知が，電子マネーカードに対する金額情報の減算処理と「同期」する必要がないことは明らかである。
　したがって，引用発明において，島コントローラの通信処理部５３（処理情報通知手段）が，売上情報（処理情報）を，金額情報の減算処理（決済処理）と「非同期」で，電子マネー管理センタＣ（上位決済装置）に通知することは容易に想到し得ることである。
　
　そして、本願発明の作用効果も、引用発明及び周知技術から当業者が予測できる範囲のものである。
　したがって、本願発明は、引用発明及び周知技術に基いて当業者が容易に発明をすることができたものである。
　
第６　むすび
　
　以上のとおり，本願発明は，引用発明及び周知技術に基いて、当業者が容易に発明をすることができたものであり，特許法第２９条第２項の規定により特許を受けることができないから，他の請求項について検討するまでもなく，本願は拒絶すべきものである。
　よって，結論のとおり審決する。